(57)【要約】【課題】光モジュール、光分岐挿入装置または光システムなどの製造コストを低減する。【解決手段】第１ポートから入力された入力光を第２ポートへ出力するとともに、第１ポートから入力された入力光を第３ポートへ分岐し、且つ、第２ポートから入力された入力光を第１ポートへ出力するとともに、第２ポートから入力された入力光を第４ポートへ分岐する２×２光カプラ１３と、２×２光カプラ１３の第３ポートから分岐出力された分岐光及び２×２光カプラ１３の第４ポートから分岐出力された分岐光のいずれかを出力する光出力部１４と、光出力部１４から出力された出力光の光パワーを監視する監視部１５とを有する、双方向モニタモジュールを用いる。【選択図】図５
2013258530.tif 000002
【特許請求の範囲】
【請求項１】
第１ポートから入力された入力光を第２ポートへ出力するとともに、前記第１ポートから入力された入力光を第３ポートへ分岐し、且つ、前記第２ポートから入力された入力光を前記第１ポートへ出力するとともに、前記第２ポートから入力された入力光を第４ポートへ分岐する２×２光カプラと、
前記２×２光カプラの前記第３ポートから分岐出力された分岐光及び前記２×２光カプラの前記第４ポートから分岐出力された分岐光のいずれかを出力する光出力部と、
前記光出力部から出力された出力光の光パワーを監視する監視部と、を有する、
ことを特徴とする、双方向モニタモジュール。
【請求項２】
前記光出力部が、一の入力ポートから入力された入力光と他の入力ポートから入力された入力光とを合波して出力する２×１光カプラである、
ことを特徴とする、請求項１記載の双方向モニタモジュール。
【請求項３】
前記光出力部が、一の入力ポートから入力された入力光と他の入力ポートから入力された入力光とのいずれかを選択的に出力する２×１光スイッチである、
ことを特徴とする、請求項１記載の双方向モニタモジュール。
【請求項４】
前記２×２光カプラの前記第１ポートから前記第２ポートへの分岐比が、前記２×２光カプラの前記第１ポートから前記第３ポートへの分岐比よりも大きく、且つ、前記２×２光カプラの前記第２ポートから前記第１ポートへの分岐比が、前記２×２光カプラの前記第２ポートから前記第４ポートへの分岐比よりも大きい、
ことを特徴とする、請求項１〜３のいずれか１項に記載の双方向モニタモジュール。
【請求項５】
前記入力光は、複数の異なる波長が多重された波長分割多重光である、
ことを特徴とする、請求項１〜４のいずれか１項に記載の双方向モニタモジュール。
【請求項６】
１入力多出力の波長選択光スイッチとして構成されるとともに、多入力１出力の波長選択光スイッチとして構成される光スイッチと、
１入力多出力の光スプリッタとして構成されるとともに、多入力１出力の光カプラとして構成される光合分波器と、
前記光スイッチと前記光合分波器とのいずれかに入力される入力光及び前記光スイッチと前記光合分波器とのいずれかから出力される出力光の少なくともいずれかを監視する請求項１〜５のいずれか１項に記載の双方向モニタモジュールと、をそなえた、
ことを特徴とする、光モジュール。
【請求項７】
請求項６記載の光モジュールを少なくとも１つそなえた、
ことを特徴とする、光分岐挿入装置。
【発明の詳細な説明】
【技術分野】
【０００１】
本発明は、双方向モニタモジュール、光モジュール及び光分岐挿入装置に関する。
【背景技術】
【０００２】
近年、インターネットの普及などによる通信需要の増加に伴い、光増幅器の広帯域性を活かした波長分割多重（ＷＤＭ：Wavelength Division Multiplexing）システムが普及してきている。
ＷＤＭシステムにおいては、全てのまたは一部の光ノードが光分岐挿入装置（ＯＡＤＭ：Optical Add-Drop Multiplexer）を備えている。光分岐挿入装置は、光伝送路に波長単位で光信号を挿入し、光伝送路から波長単位で光信号を取り出すことができる。
【０００３】
即ち、光分岐挿入装置は、ＷＤＭ光信号に所望の波長の光信号を挿入する機能（光add機能）と、ＷＤＭ光信号から所望の波長の光信号を分岐する機能（光drop機能）とを備えている。なお、所望の波長の光信号を挿入および／または分岐する光分岐挿入装置は、ＲＯＡＤＭ（Reconfigurable OADM）と呼ばれることがある。
ここで、光分岐挿入装置は、波長パスを柔軟に設定または変更できるように、ＣＤＣ（Colorless, Directionless, and Contentionless）機能を有しているのが好ましい。
【０００４】
Colorlessとは、光分岐挿入装置の任意のポートに任意の波長を入力でき、任意のポートから任意の波長を出力できる構成または機能を意味する。また、Directionlessとは、光分岐挿入装置が複数の方路を有する構成において、各端局からの光信号を任意の方路に導くことができ、各方路からの光信号を任意の端局に導くことができる構成または機能を意味する。さらに、Contentionlessとは、光分岐挿入装置内で同一波長の光信号の衝突を回避する構成または機能を意味する。
【０００５】
なお、下記特許文献１には、ＣＤＣ機能を有する光分岐挿入装置の一例が記載されている。
【先行技術文献】
【特許文献】
【０００６】
【特許文献１】特開２０１２−０１５７２６号公報
【発明の概要】
【発明が解決しようとする課題】
【０００７】
ところで、光分岐挿入装置の製造コストは低い方が好ましい。また、上記光分岐挿入装置に限らず、各種の光モジュール，光装置及び光システムなどについても、製造コストは低いほどよい。
しかしながら、光分岐挿入装置，各種の光モジュール及び光システムなどに含まれる光デバイス（光素子）の数が多いほど、一般的に製造コストは大きくなる。また、ＯＣＭ（Optical Channel Monitor）などの比較的高価な光デバイスの数が多いほど、上記製造コストは大きくなる。さらに、光分岐挿入装置及び光システムなどに含まれる光モジュールの種類が多いほど、製造コストは大きくなる。
【０００８】
そこで、本発明は、光モジュール、光分岐挿入装置または光システムなどの製造コストを低減することを目的の１つとする。
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【０００９】
（１）第１の案として、例えば、第１ポートから入力された入力光を第２ポートへ出力するとともに、前記第１ポートから入力された入力光を第３ポートへ分岐し、且つ、前記第２ポートから入力された入力光を前記第１ポートへ出力するとともに、前記第２ポートから入力された入力光を第４ポートへ分岐する２×２光カプラと、前記２×２光カプラの前記第３ポートから分岐出力された分岐光及び前記２×２光カプラの前記第４ポートから分岐出力された分岐光のいずれかを出力する光出力部と、前記光出力部から出力された出力光の光パワーを監視する監視部とを有する、双方向モニタモジュールを用いることができる。
【００１０】
（２）また、第２の案として、例えば、１入力多出力の波長選択光スイッチとして構成されるとともに、多入力１出力の波長選択光スイッチとして構成される光スイッチと、１入力多出力の光スプリッタとして構成されるとともに、多入力１出力の光カプラとして構成される光合分波器と、前記光スイッチと前記光合分波器とのいずれかに入力される入力光及び前記光スイッチと前記光合分波器とのいずれかから出力される出力光の少なくともいずれかを監視する上記（１）記載の双方向モニタモジュールとをそなえた、光モジュールを用いることができる。
【００１１】
（３）さらに、第３の案として、例えば、上記（２）記載の光モジュールを少なくとも１つそなえた、光分岐挿入装置を用いることができる。
【発明の効果】
【００１２】
光モジュール、光分岐挿入装置及び光システムなどの製造コストを低減することが可能となる。
【図面の簡単な説明】
【００１３】
【図１】（Ａ）及び（Ｂ）は光システムの構成の一例を示す図である。
【図２】光分岐挿入装置の構成の一例を示す図である。
【図３】（Ａ）及び（Ｂ）は光モジュールの構成の一例を示す図である。
【図４】（Ａ）及び（Ｂ）は光モジュールの構成の一例を示す図である。
【図５】一実施形態に係る光モジュールの構成の一例を示す図である。
【図６】（Ａ）及び（Ｂ）は図５に示す光モジュールの動作の一例を示す図である。
【図７】第１変形例に係る光モジュールの構成の一例を示す図である。
【図８】第２変形例に係る光モジュールの構成の一例を示す図である。
【図９】第３変形例に係る光モジュールの構成の一例を示す図である。
【図１０】第４変形例に係る光モジュールを有する光システムの構成の一例を示す図である。
【発明を実施するための形態】
【００１４】
以下、図面を参照して本発明の実施の形態を説明する。ただし、以下に示す実施の形態は、あくまでも例示に過ぎず、以下に示す実施形態及び各変形例で明示しない種々の変形や技術の適用を排除する意図はない。即ち、以下に示す実施形態及び各変形例を、本発明の趣旨を逸脱しない範囲で種々変形して実施できることはいうまでもない。
〔１〕一実施形態について
（１．１）光システムの構成の一例
図１は、一実施形態に係る光システムの構成の一例を示す図である。光分岐挿入装置（ＯＡＤＭ：Optical Add-Drop Multiplexer）は、光ノード内に設けられる。また、光分岐挿入装置は、１または複数の所望の波長の光信号をＷＤＭ光信号に挿入する機能（add機能）、およびＷＤＭ光信号から１または複数の所望の波長の光信号を分岐する機能（drop機能）を備える。
【００１５】
図１（Ａ）に示すネットワークシステムは、双方向リングネットワークであり、４台の光ノード＃１〜＃４を備えている。すなわち、各光ノード間は、１組の時計回り光伝送路および反時計回り光伝送路で接続されている。時計回り光伝送路および反時計回り光伝送路は、それぞれ、ＷＤＭ光信号を伝送する。各光ノード＃１〜＃４は、それぞれ光分岐挿入装置を備えている。
【００１６】
各光ノードまたは各光分岐挿入装置を基準として、ある方向に向かって伸びる光伝送路を「方路」と呼ぶことにする。例えば、光ノード＃１（または、光ノード＃１の光分岐挿入装置）は、方路＃１および方路＃２を有している。方路＃１は、光ノード＃４に接続されている。そして、方路＃１には、光ノード＃４から光ノード＃１へＷＤＭ光信号を伝送する光伝送路（入方路）、および光ノード＃１から光ノード＃４へＷＤＭ光信号を伝送する光伝送路（出方路）が設定されている。また、方路＃２は、光ノード＃２に接続されている。そして、方路＃２には、光ノード＃２から光ノード＃１へＷＤＭ光信号を伝送する光伝送路（入方路）、および光ノード＃１から光ノード＃２へＷＤＭ光信号を伝送する光伝送路（出方路）が設定されている。
【００１７】
上記構成のネットワークシステムにおいて、例えば、端局Ａから端局Ｂへデータを送信する際には、光ノード＃１は、端局Ａから送信される光信号を、方路＃１へ出力する。このとき、端局Ａは、例えば、波長λ１を利用してデータを搬送する光信号を送信する。そうすると、光ノード＃１の光分岐挿入装置は、端局Ａから送信される光信号を、光ノード＃２から光ノード＃４へ伝送されるＷＤＭ光信号に挿入する。そして、光ノード＃４の光分岐挿入装置は、そのＷＤＭ光信号から波長λ１の光信号を分岐して端局Ｂへ導く。これにより、端局Ａから送信されるデータは、端局Ｂにより受信される。
【００１８】
端局Ｃから端局Ａへデータを送信する際には、端局Ｃは、例えば、波長λ２を利用してデータを搬送する光信号を送信する。そうすると、光ノード＃２の光分岐挿入装置は、端局Ｃから送信される光信号を、光ノード＃３から光ノード＃１へ伝送されるＷＤＭ光信号に挿入する。このＷＤＭ光信号は、方路＃２から光ノード＃１に入力される。そして、光ノード＃１の光分岐挿入装置は、そのＷＤＭ光信号をから波長λ２の光信号を分岐して端局Ａへ導く。これにより、端局Ｃから送信されるデータは、端局Ａにより受信される。
【００１９】
図１（Ａ）に示すネットワークシステムでは、各光分岐挿入装置は、それぞれ２本の方路を有している。ただし、実施形態の光分岐挿入装置は、より多くの方路を有するようにしてもよい。例えば、図１（Ｂ）に示すネットワークシステムでは、光ノード＃５の光分岐挿入装置は、４本の方路＃１〜＃４を有している。このとき、光ノード＃５の光分岐挿入装置は、端局Ｄから送信される任意の波長の光信号を、任意の方路へ出力することができる。また、光ノード＃５の光分岐挿入装置は、任意の方路から任意の波長の光信号を分岐して端局Ｄへ転送することができる。
【００２０】
光分岐挿入装置が備える方路の数は、「Degree」でカウントされることがある。たとえば、図１（Ａ）に示す各光分岐挿入装置は、２本の方路を有しているので、2-degreeと呼ばれることがある。また、図１（Ｂ）に示す光ノード＃５の光分岐挿入装置は、４本の方路を有しているので、4-degreeと呼ばれることがある。
（１．２）光分岐挿入装置の構成の一例
図２は、光分岐挿入装置の構成の一例を示す図である。
【００２１】
この図２に例示するように、光分岐挿入装置１は、２本の方路（ＷＥＳＴ方路およびＥＡＳＴ方路）を有している。ＷＥＳＴ方路は、１組の入方路および出方路を含む。同様に、ＥＡＳＴ方路も、１組の入方路および出方路を含む。
また、図２に例示する光分岐挿入装置１には、複数の光デバイス（光素子）を備えた機能ブロックを一つの単位とする光モジュール（パッケージ）２−１〜２−４，３−１〜３−２，４−１〜４−４，５−１〜５−２，６及び７−１〜７−２と、各光モジュール２−１〜２−４，３−１〜３−２，４−１〜４−４，５−１〜５−２，６及び７−１〜７−２を制御可能なコントローラ８とが搭載されている。
【００２２】
図２に示す例では、光モジュール２−１〜２−４は、それぞれ複数の光増幅器をそなえ、光モジュール３−１〜３−２及び４−１〜４−４は、波長選択光スイッチ（ＷＳＳ：Wavelength Selective Switch）及び光スプリッタ（ＳＰＬ：Splitter）をそなえている。また、光モジュール５−１〜５−２は、ＷＳＳ及び光カプラ（ＣＰＬ：Coupler）をそなえ、光モジュール６は、１組のＳＰＬ及びＣＰＬをそなえている。さらに、光モジュール７−１〜７−２は、それぞれ複数のトランスポンダ（ＴＰ：Transponder）をそなえている。
【００２３】
光増幅器を有する光モジュール２−１は、ＷＥＳＴ方路から入力されるＷＤＭ光信号を増幅するとともに、ＷＥＳＴ方路へ出力されるＷＤＭ光信号を増幅する。同様に、光モジュール２−２は、ＥＡＳＴ方路から入力されるＷＤＭ光信号を増幅するとともに、ＥＡＳＴ方路へ出力されるＷＤＭ光信号を増幅する。なお、各光モジュール２−１，２−２における光増幅器の利得は、予め計算されてもよいし、動的に制御されるようにしてもよい。
【００２４】
ここで、まず、光分岐挿入装置１のdrop機能に着目すると、光モジュール３−１内のＳＰＬは、ＷＥＳＴ方路から入力されるＷＤＭ光信号を分岐し、光モジュール３−２内のＷＳＳ，光モジュール４−１内のＳＰＬ及び複数の他方路に導く。同様に、光モジュール３−２内のＳＰＬは、ＥＡＳＴ方路から入力されるＷＤＭ光信号を分岐し、光モジュール３−１内のＷＳＳ，光モジュール４−２内のＳＰＬ及び複数の他方路に導く。
【００２５】
また、光モジュール４−１内のＳＰＬは、光モジュール３−１内のＳＰＬから導かれてくるＷＤＭ光信号を分岐し、光モジュール４−３内のＷＳＳ，光モジュール４−４内のＷＳＳ及び同様の光モジュール内のＷＳＳに導く。同様に、光モジュール４−２内のＳＰＬは、光モジュール３−２内のＳＰＬから導かれてくるＷＤＭ光信号を分岐し、光モジュール４−４内のＷＳＳ，光モジュール４−３内のＷＳＳ及び同様の光モジュール内のＷＳＳに導く。
【００２６】
さらに、光モジュール４−３内のＷＳＳは、入力された光信号の中からコントローラ８により指定される１または複数の波長の光信号を選択する。同様に、光モジュール４−４内のＷＳＳは、入力された光信号の中からコントローラ８により指定される１または複数の波長の光信号を選択する。ここで、光モジュール４−３内のＷＳＳが選択する波長と光モジュール４−４内のＷＳＳが選択する波長とは、互いに異なっていてもよいし、互いに同じであってもよいし、互いに一部が重複していてもよい。
【００２７】
また、光モジュール２−３内の一の光増幅器は、光モジュール４−３内のＷＳＳにより選択された光信号を増幅し、光モジュール２−４内の一の光増幅器は、光モジュール４−４内のＷＳＳにより選択された光信号を増幅する。
さらに、光モジュール５−１内のＷＳＳは、入力された光信号を、コントローラ８により指定される出力ポートへ導く。同様に、光モジュール５−２内のＷＳＳは、入力された光信号を、コントローラ８により指定される出力ポートへ導く。
【００２８】
また、光モジュール６内のＳＰＬは、入力された光信号を分岐し、光モジュール７−１内のＴＰへ導き、光モジュール７−１内のＴＰは、入力された光信号を、対応する端局へ転送する。このとき、光モジュール７−１内のＴＰは、必要に応じて、光信号の波長を変換してもよい。なお、各光モジュール７−１内のＴＰから出力される光信号の波長は、互いに同じでもよいし、互いに異なってもよい。
【００２９】
一方、光分岐挿入装置１のadd機能に着目すると、光モジュール７−２内のＴＰは、それぞれ、対応する端局から送信される光信号を、光モジュール６内のＣＰＬへ転送する。このとき、光モジュール７−２内のＴＰは、必要に応じて、光信号の波長を変換してもよい。なお、各端局から送信される光信号の波長は、互いに同じでもよいし、互いに異なってもよい。また、各光モジュール７−２内のＴＰから出力される光信号の波長は、特に限定されるものではないが、互いに異なるようにしてもよい。
【００３０】
各光モジュール６内のＣＰＬは、各光モジュール７−２内のＴＰから入力される光信号を合波して、光モジュール５−１〜５−２内のＣＰＬへ導く。
光モジュール５−１内のＣＰＬは、各光モジュール６内のＣＰＬから入力される光信号を合波して、光モジュール２−３内の他の光増幅器へ導く。同様に、光モジュール５−２内のＣＰＬは、各光モジュール６内のＣＰＬから入力される光信号を合波して、光モジュール２−４内の他の光増幅器へ導く。
【００３１】
光モジュール２−３内の他の光増幅器は、光モジュール５−１内のＣＰＬにより入力された光信号を増幅し、光モジュール４−３内のＳＰＬへ導く。同様に、光モジュール２−４内の他の光増幅器は、光モジュール５−２内のＣＰＬにより入力された光信号を増幅し、光モジュール４−４内のＳＰＬへ導く。
光モジュール４−３内のＳＰＬは、入力された光信号を分岐して、光モジュール４−１内のＷＳＳ，光モジュール４−２内のＷＳＳ及び同様の光モジュール内のＷＳＳへ導く。同様に、光モジュール４−４内のＳＰＬは、入力された光信号を分岐して、光モジュール４−２内のＷＳＳ，光モジュール４−１内のＷＳＳ及び同様の光モジュール内のＷＳＳへ導く。
【００３２】
光モジュール４−１内のＷＳＳは、入力された光信号の中からコントローラ８により指定される１または複数の波長の光信号を選択する。同様に、光モジュール４−２内のＷＳＳは、入力された光信号の中からコントローラ８により指定される１または複数の波長の光信号を選択する。
光モジュール３−１内のＷＳＳは、コントローラ８による制御に従って、ＥＡＳＴ方路から光モジュール３−２内のＳＰＬを介して導かれてくる光信号と光モジュール４−１内のＷＳＳから導かれてくる光信号とから、ＷＥＳＴ方路へ出力するＷＤＭ光信号を生成する。このとき、光モジュール３−１内のＷＳＳは、ＥＡＳＴ方路から光モジュール３−２内のＳＰＬを介して導かれてくる光信号から、光分岐挿入装置１を「通過（スルー）」する１または複数の任意の波長を選択する。また、光モジュール３−１内のＷＳＳは、光モジュール４−１内のＷＳＳから導かれてくる光信号から、ＷＤＭ光信号に「挿入（add）」する１または複数の任意の波長を選択する。
【００３３】
同様に、光モジュール３−２内のＷＳＳは、コントローラ８による制御に従って、ＷＥＳＴ方路から光モジュール３−１内のＳＰＬを介して導かれてくる光信号と光モジュール４−２内のＷＳＳから導かれてくる光信号とから、ＥＡＳＴ方路へ出力するＷＤＭ光信号を生成する。このとき、光モジュール３−２内のＷＳＳは、ＷＥＳＴ方路から光モジュール３−１内のＳＰＬを介して導かれてくる光信号から、光分岐挿入装置１を「通過（スルー）」する１または複数の任意の波長を選択する。また、光モジュール３−２内のＷＳＳは、光モジュール４−２内のＷＳＳから導かれてくる光信号から、ＷＤＭ光信号に「挿入（add）」する１または複数の任意の波長を選択する。
【００３４】
コントローラ８は、ユーザまたはネットワーク管理装置（図示省略）からの指示に応じて、各光モジュール２−１〜２−４，３−１〜３−２，４−１〜４−４，５−１〜５−２，６及び７−１〜７−２内の各光デバイスを制御する。このため、コントローラ８は、例えば、プロセッサ及びメモリを備える。メモリには、光分岐挿入装置１のadd動作およびdrop動作を記述したプログラムが格納されるようにしてもよい。この場合、プロセッサは、メモリに格納されているプログラムを実行することにより、光信号のadd動作およびdrop動作を提供する。また、コントローラ８は、ユーザまたはネットワーク管理装置との間のインタフェースを提供してもよい。
【００３５】
（１．３）光モジュールの共通化について
ここで、光分岐挿入装置１に用いられる各光モジュールの種類を減らすことを考える。同様の光デバイスを有する光モジュールを共通化して互いに転用可能とすれば、例えば、光モジュールのストック数を少なくすることができ、光分岐挿入装置１の製造コストを低減することが可能となるためである。なお、以下では、光モジュール２−１〜２−４を単に光モジュール２と称することがあり、光モジュール３−１，３−２を単に光モジュール３と称することがあり、光モジュール４−１〜４−４を単に光モジュール４と称することがある。また、光モジュール５−１，５−２を単に光モジュール５と称することがあり、光モジュール７−１，７−２を単に光モジュール７と称することがある。
【００３６】
例えば、光スプリッタ（ＳＰＬ）と光カプラ（ＣＰＬ）とが実質的には同一の光デバイスであるので、光モジュール３，４と光モジュール５とは、ほぼ同様の構成を有していることが分かる。
そこで、光モジュール３，４に光モジュール５を転用したり、光モジュール３，５に光モジュール４を転用したり、光モジュール３，４に光モジュール５を転用したりすれば、光モジュールの種類を減らすことができる。
【００３７】
しかしながら、実際には、図３（Ａ）に例示するように、光モジュール３，４は、ＷＳＳ４１と、ＳＰＬ４４と、ＷＳＳ４１から出力される光信号をパワー分岐する１×２光カプラ４２と、１×２光カプラ４２で分岐された光信号をモニタするＯＣＭ４３とをそなえて構成される。なお、ＯＣＭ４３でのモニタ結果は、例えば、コントローラ８に通知され、各光モジュール２〜７の制御に用いられてもよい。
【００３８】
このため、例えば、光モジュール５に光モジュール３，４を転用しようとした場合、図３（Ｂ）に例示するように、図３（Ａ）に示した例とは逆の方向からＷＳＳ４１及びＳＰＬ４４に光信号が入力されるが、図３（Ｂ）に例示するケースでは、１×２光カプラ４２は、その構造上、ＯＣＭ４３へ光信号を分岐することができない。
即ち、図３（Ａ）に例示した構成を有する光モジュール３，４を、そのまま光モジュール５に転用することはできない。
【００３９】
また、図４（Ａ）に例示するように、光モジュール５は、実際には、ＷＳＳ５１と、ＳＰＬ５４と、ＷＳＳ５１へ入力される光信号をパワー分岐する１×２光カプラ５２と、１×２光カプラ５２で分岐された光信号をモニタするＯＣＭ５３とをそなえて構成される。なお、ＯＣＭ５３でのモニタ結果は、例えば、コントローラ８に通知され、各光モジュール２〜７の制御に用いられてもよい。
【００４０】
このため、光モジュール３，４に光モジュール５を転用しようとした場合、図４（Ｂ）に例示するように、図４（Ａ）に示した例とは逆の方向からＷＳＳ５１及びＳＰＬ５４に光信号が入力されるが、図４（Ｂ）に例示するケースでは、１×２光カプラ５２は、その構造上、ＯＣＭ５３へ光信号を分岐することができない。
即ち、図４（Ａ）に例示した構成を有する光モジュール５を、そのまま光モジュール３，４に転用することはできない。
【００４１】
そこで、本例では、例えば、光モジュール３〜５の代わりに用いることのできる共通化された光モジュール構成を提案する。なお、本発明は、光モジュール３〜５の代替としての光モジュール構成に限定されず、例えば、光モジュール６及び７やその他の光モジュールの代替としての光モジュール構成に適用可能であることはいうまでもない。
（１．４）一実施形態に係る光モジュールの構成の一例
図５は一実施形態に係る光モジュールの構成の一例を示す図である。
【００４２】
この図５に示す光モジュール１０は、例示的に、ＷＳＳ１１と、光合分波器１２と、双方向から入力される光の光パワーをモニタ可能な双方向モニタモジュール１６とをそなえる。また、双方向モニタモジュール１６は、例示的に、２×２光カプラ１３と、２×１光カプラ１４と、ＯＣＭ１５とをそなえる。
ＷＳＳ１１は、一のポートから入力された光信号の中からコントローラ８により指定される１または複数の波長の光信号を選択してｎ（ｎは２以上の整数）個のポートから出力する一方、ｎ個のポートから入力された各光信号の中からコントローラ８により指定される１または複数の波長の光信号を選択して一のポートから出力する。なお、ＷＳＳ１１は、互いに異なる方向から入力された光信号について、それぞれ、上記の選択、出力動作を実施可能（双方向動作可能）に構成されている。また、図５に例示するＷＳＳ１１は、１×ｎ（ｎは２以上の整数）ＷＳＳとして構成されている。
【００４３】
即ち、ＷＳＳ１１は、１入力多出力の波長選択光スイッチとして構成されるとともに、多入力１出力の波長選択光スイッチとして構成される光スイッチの一例として機能する。
光合分波器１２は、一のポートから入力された光信号を分岐してｍ（ｍは２以上の整数）個のポートから出力する一方、ｍ個のポートから入力された各光信号を合波して一のポートから出力する。なお、光合分波器１２は、互いに異なる方向から入力された光信号について、それぞれ、上記の分岐、合波動作を実施可能（双方向動作可能）に構成されている。また、図５に例示する光合分波器１２は、１×ｍ光カプラ（１×ｍ光スプリッタ）として構成されている。
【００４４】
即ち、光合分波器１２は、１入力多出力の光スプリッタとして構成されるとともに、多入力１出力の光カプラとして構成される光合分波器の一例として機能する。
２×２光カプラ１３は、ＷＳＳ１１の一のポートへ入力される光信号を２分岐するとともに、ＷＳＳ１１の一のポートから出力される光信号を２分岐する。２×２光カプラ１３によって分岐された各光信号は、２×１光カプラ１４の各入力ポートにそれぞれ導かれる。なお、２×２光カプラ１３の分岐比は、例えば、主信号光のパワー損失を軽減するとともに、ＯＣＭ１５へ入力される光パワーを小さくするような分岐比に設定されることが望ましい。図５に示す例では、分岐光と主信号光との比が約１対９となるように、２×２光カプラ１３の分岐比が設定されている。
【００４５】
即ち、２×２光カプラ１３は、第１ポートから入力された入力光を第２ポートへ出力するとともに、前記第１ポートから入力された入力光を第３ポートへ分岐し、且つ、前記第２ポートから入力された入力光を前記第１ポートへ出力するとともに、前記第２ポートから入力された入力光を第４ポートへ分岐する２×２光カプラの一例として機能する。
なお、２×２光カプラ１３には、ＷＤＭ光信号が入力され得る。つまり、双方向モニタモジュール１６に入力される入力光は、複数の異なる波長が多重された波長分割多重光であってもよい。
【００４６】
２×１光カプラ１４は、２個の入力ポートと１個の出力ポートとをそなえ、各入力ポートに入力された光信号を合波して出力ポートから合波光信号を出力し、当該合波光信号をＯＣＭ１５へ導く。なお、光モジュール１０を図２に例示した光分岐挿入装置１の光モジュール３〜５に転用した場合、光モジュール１０の２×２光カプラ１３にはいずれか一方の入力ポートから光信号が入力される。このため、光モジュール１０を図２に例示した光分岐挿入装置１の光モジュール３〜５に転用した場合、光モジュール１０の２×１光カプラ１４は、２個の入力ポートのうちいずれか一方から入力された光信号を出力ポートから出力することとなる。
【００４７】
例えば、光モジュール１０を図２に例示した光分岐挿入装置１の光モジュール３，４に転用した場合、図６（Ａ）に例示するように、破線矢印部分には光信号が分岐されず、ＷＳＳ１１の一のポートから出力された光信号が、２×２光カプラ１３及び２×１光カプラ１４によって分岐され、ＯＣＭ１５へ導かれる。
一方、例えば、光モジュール１０を図２に例示した光分岐挿入装置１の光モジュール５に転用した場合、図６（Ｂ）に例示するように、破線矢印部分には光信号が分岐されず、ＷＳＳ１１の一のポートへ入力される光信号が、２×２光カプラ１３及び２×１光カプラ１４によって分岐され、ＯＣＭ１５へ導かれる。
【００４８】
即ち、２×１光カプラ１４は、２×２光カプラ１３の前記第３ポートから分岐出力された分岐光及び２×２光カプラ１３の前記第４ポートから分岐出力された分岐光のいずれかを出力する光出力部の一例として機能する。
ＯＣＭ（監視部）１５は、入力された光信号の光パワーをモニタする。ＯＣＭ１５に入力される光信号がＷＤＭ光である場合、ＯＣＭ１５は、各波長の光信号の光パワーをモニタすることができる。なお、ＯＣＭ１５でのモニタ結果は、例えば、コントローラ８に通知され、各光モジュール２〜７，１０の制御に用いられてもよい。
【００４９】
以上の構成を有する光モジュール１０によれば、極めて安価に双方向モニタを実現することができ、さらに、パッケージの共通化を実現することができるので、光モジュール、光分岐挿入装置及び光システムなどの製造コストを大幅に低減することが可能となる。
なお、光モジュール１０に各方向から入力される光信号の光パワーが互いに大きく異なる場合、２×２光カプラ１３及び２×１光カプラ１４の各分岐比を適切に設定することにより、ＯＣＭ１５への入力光パワー範囲についての条件を緩和することができるので、高価なＯＣＭを用いることなく光モジュール１０を実現でき、この点でも、光モジュール、光分岐挿入装置及び光システムなどの製造コストを大幅に低減することが可能となる。
【００５０】
〔２〕第１変形例
上述した実施形態では、ＷＳＳ１１の入力光の光パワーまたは出力光の光パワーをモニタする構成を例示したが、例えば、図７に例示する光モジュール１０Ａのように、光合分波器１２の入力光の光パワーまたは出力光の光パワーをモニタするようにしてもよい。なお、図７において図５と同一の符号を付した構成要素については、図５に示す構成要素と同様の機能を有するため、その説明を省略する。
【００５１】
即ち、２×２光カプラ１３，２×１光カプラ１４及びＯＣＭ１５により構成される双方向光モニタモジュール１６は、信号光の入力方向が上りと下りとの両方有り得る箇所であれば、どこでも適用が可能である。
〔３〕第２変形例
また、ＷＳＳ１１の入力光の光パワーまたは出力光の光パワーと、光合分波器１２の入力光の光パワーまたは出力光の光パワーとをモニタするようにしてもよい。
【００５２】
例えば、図５に例示した構成と図７に例示した構成とを単純に組み合わせることが考えられるが、ＯＣＭ１５の設置数が大きくなるほど、光モジュールの製造コストが増加してしまう。
そこで、図８に示すように、本例の光モジュール１０Ｂは、例示的に、ＷＳＳ１１と、光合分波器１２と、双方向光モジュール１６Ｂとをそなえる。また、双方向光モジュール１６Ｂは、例示的に、２×２光カプラ１３−１，１３−２と、２×１光カプラ１４−１，１４−２と、２×１光スイッチ（２×１ＳＷ）１７と、ＯＣＭ１５とをそなえる。なお、図８において図５と同一の符号を付した構成要素については、図５に示す構成要素と同様の機能を有するため、その説明を省略する。
【００５３】
２×２光カプラ１３−１は、ＷＳＳ１１の一のポートへ入力される光信号を分岐するとともに、ＷＳＳ１１の一のポートから出力される光信号を分岐する。２×２光カプラ１３−１によって分岐された各光信号は、２×１光カプラ１４−１の各入力ポートにそれぞれ導かれる。なお、２×２光カプラ１３−１の分岐比は、例えば、主信号光のパワー損失を軽減するとともに、ＯＣＭ１５へ入力される光パワーを小さくするような分岐比に設定されることが望ましい。図８に示す例では、分岐光と主信号光との比が約１対９となるように、２×２光カプラ１３−１の分岐比が設定されている。
【００５４】
即ち、２×２光カプラ１３−１は、第１ポートから入力された入力光を第２ポートへ出力するとともに、前記第１ポートから入力された入力光を第３ポートへ分岐し、且つ、前記第２ポートから入力された入力光を前記第１ポートへ出力するとともに、前記第２ポートから入力された入力光を第４ポートへ分岐する第１の２×２光カプラの一例として機能する。
【００５５】
また、２×２光カプラ１３−２は、光合分波器１２の一のポートへ入力される光信号を分岐するとともに、光合分波器１２の一のポートから出力される光信号を分岐する。２×２光カプラ１３−２によって分岐された各光信号は、２×１光カプラ１４−２の各入力ポートにそれぞれ導かれる。なお、２×２光カプラ１３−２の分岐比は、例えば、主信号光のパワー損失を軽減するとともに、ＯＣＭ１５へ入力される光パワーを小さくするような分岐比に設定されることが望ましい。図８に示す例では、分岐光と主信号光との比が約１対９となるように、２×２光カプラ１３−２の分岐比が設定されている。
【００５６】
即ち、２×２光カプラ１３−２は、第５ポートから入力された入力光を第６ポートへ出力するとともに、前記第５ポートから入力された入力光を第７ポートへ分岐し、且つ、前記第６ポートから入力された入力光を前記第５ポートへ出力するとともに、前記第６ポートから入力された入力光を第８ポートへ分岐する第２の２×２光カプラの一例として機能する。
【００５７】
なお、２×２光カプラ１３−１，１３−２には、ＷＤＭ光信号がそれぞれ入力され得る。つまり、双方向モニタモジュール１６Ｂに入力される入力光は、複数の異なる波長が多重された波長分割多重光であってもよい。
２×１光カプラ１４−１は、２個の入力ポートと１個の出力ポートとをそなえ、各入力ポートに入力された光信号を合波して出力ポートから合波光信号を出力し、当該合波光信号を２×１光スイッチ１７へ導く。同様に、２×１光カプラ１４−２は、２個の入力ポートと１個の出力ポートとをそなえ、各入力ポートに入力された光信号を合波して出力ポートから合波光信号を出力し、当該合波光信号を２×１光スイッチ１７へ導く。
【００５８】
即ち、２×１光カプラ１４−１は、２×２光カプラ１３−１の前記第３ポートから分岐出力された分岐光及び２×２光カプラ１３−１の前記第４ポートから分岐出力された分岐光のいずれかを出力する第１の光出力部の一例として機能し、２×１光カプラ１４−２は、２×２光カプラ１３−２の前記第７ポートから分岐出力された分岐光及び２×２光カプラ１３−２の前記第８ポートから分岐出力された分岐光のいずれかを出力する第２の光出力部の一例として機能する。
【００５９】
２×１光スイッチ１７は、２個の入力ポートと１個の出力ポートとをそなえ、各入力ポートに入力された光信号のいずれかを選択して出力ポートから出力し、ＯＣＭ１５へ導く。なお、２×１光スイッチ１７の制御は、例えば、ネットワーク管理装置（図示省略）やコントローラ８からの指示に基づいて行なわれてもよい。
本例によれば、光モジュール１０Ｂの製造コストを抑制しつつも、ＷＳＳ１１の入力光の光パワーまたは出力光の光パワーと、光合分波器１２の入力光の光パワーまたは出力光の光パワーとをモニタすることが可能となる。
【００６０】
〔４〕第３変形例
また、図９に例示するように、図５に例示した光モジュール１０内の２×１光カプラ１４に代えて２×１光スイッチ１８をそなえた光モジュール１０Ｃとしてもよい。なお、図９において図５と同一の符号を付した構成要素については、図５に示す構成要素と同様の機能を有するため、その説明を省略する。
【００６１】
２×１光スイッチ１８は、２個の入力ポートと１個の出力ポートとをそなえ、各入力ポートに入力された光信号のいずれかを選択して出力ポートから出力し、ＯＣＭ１５へ導く。なお、２×１光スイッチ１８の制御は、例えば、ネットワーク管理装置（図示省略）やコントローラ８からの指示に基づいて行なわれてもよい。
２×１光スイッチ１８を有する双方向光モジュール１６Ｃを用いることにより、ＯＣＭ１５に至るまでの主信号光の光パワー損失を抑制することが可能となるので、ＯＣＭ１５における受光可能範囲についての制約を軽減することができる。
【００６２】
〔５〕第４変形例
また、図１０に例示するように、２×２光カプラ２２（２４），２×１光スイッチ２６（２８）及びＯＣＭ２７（２９）により構成される双方向光モニタモジュール１６Ｄ−１（１６Ｄ−２）を、図１０に例示するような双方向ＷＤＭ伝送システム（光システム）２０に適用してもよい。
【００６３】
図１０に示す双方向ＷＤＭ伝送システム２０は、例示的に、複数の光増幅器をそなえた光モジュール２−１，２−２と、光サーキュレータ２１，２５と、双方向光モジュール１６Ｄ−１，１６Ｄ−２と、光ファイバ増幅器２３とをそなえる。また、双方向光モジュール１６Ｄ−１は、例示的に、２×２光カプラ２２と、２×１光スイッチ（２×１ＳＷ）２６と、ＯＣＭ２７とをそなえる。さらに、双方向光モジュール１６Ｄ−２は、例示的に、２×２光カプラ２４と、２×１光スイッチ（２×１ＳＷ）２８と、ＯＣＭ２９とをそなえる。
【００６４】
光モジュール２−１内の各光増幅器は、上り方向（図１０の紙面右方向）の光信号と下り方向（図１０の紙面左方向）の光信号とをそれぞれ増幅する。また、光サーキュレータ２１は、光モジュール２−１内の光増幅器から出力された光信号を上り方向へ導くとともに、下り方向へ伝送されてきた光信号を光モジュール２−１内の光増幅器へ入力する。
同様に、光モジュール２−２内の各光増幅器は、上り方向の光信号と下り方向の光信号とをそれぞれ増幅する。また、光サーキュレータ２５は、光モジュール２−２内の光増幅器から出力された光信号を下り方向へ導くとともに、上り方向へ伝送されてきた光信号を光モジュール２−２内の光増幅器へ入力する。
【００６５】
光ファイバ増幅器２３は、上り方向及び下り方向へ伝送している光信号を増幅する。光ファイバ増幅器２３には、例えば、コア部分に希土類イオンを添加した光ファイバを用いることができる。代表的な光ファイバ増幅器２３には、例えば、コア部分にエルビウムイオンを添加したＥＤＦＡ（Erbium Doped Fiber Amplifier）がある。
２×２光カプラ２２は、光伝送路を上り方向へ伝送する光信号を分岐するとともに、光伝送路を下り方向へ伝送する光信号を分岐する。２×２光カプラ２２によって分岐された各光信号は、２×１光カプラ２６の各入力ポートにそれぞれ導かれる。なお、２×２光カプラ２２の分岐比は、例えば、主信号光のパワー損失を軽減するとともに、ＯＣＭ２７へ入力される光パワーを小さくするような分岐比に設定されることが望ましい。図１０に示す例では、分岐光と主信号光との比が約１対９となるように、２×２光カプラ２２の分岐比が設定されている。
【００６６】
なお、２×２光カプラ２２には、ＷＤＭ光信号が入力され得る。つまり、双方向モニタモジュール１６Ｄ−１に入力される入力光は、複数の異なる波長が多重された波長分割多重光であってもよい。
２×１光スイッチ２６は、２個の入力ポートと１個の出力ポートとをそなえ、各入力ポートに入力された光信号のいずれかを選択して出力ポートから出力し、ＯＣＭ２７へ導く。なお、２×１光スイッチ２６の制御は、例えば、ネットワーク管理装置（図示省略）などからの指示に基づいて行なわれてもよい。
【００６７】
ＯＣＭ２７は、入力された光信号の光パワーをモニタする。ＯＣＭ２７に入力される光信号がＷＤＭ光である場合、ＯＣＭ２７は、各波長の光信号の光パワーをモニタすることができる。なお、ＯＣＭ２７でのモニタ結果は、例えば、ネットワーク管理装置などに通知され、各光モジュール２−１，２−２，１６Ｄ−１，１６Ｄ−２の制御や、光ファイバ増幅器２３へ供給される励起光の制御などに用いられてもよい。
【００６８】
また、２×２光カプラ２４は、光伝送路を上り方向へ伝送する光信号を分岐するとともに、光伝送路を下り方向へ伝送する光信号を分岐する。２×２光カプラ２４によって分岐された各光信号は、２×１光カプラ２８の各入力ポートにそれぞれ導かれる。なお、２×２光カプラ２４の分岐比は、例えば、主信号光のパワー損失を軽減するとともに、ＯＣＭ２９へ入力される光パワーを小さくするような分岐比に設定されることが望ましい。図１０に示す例では、分岐光と主信号光との比が約１対９となるように、２×２光カプラ２９の分岐比が設定されている。
【００６９】
なお、２×２光カプラ２４には、ＷＤＭ光信号が入力され得る。つまり、双方向モニタモジュール１６Ｄ−２に入力される入力光は、複数の異なる波長が多重された波長分割多重光であってもよい。
２×１光スイッチ２８は、２個の入力ポートと１個の出力ポートとをそなえ、各入力ポートに入力された光信号のいずれかを選択して出力ポートから出力し、ＯＣＭ２９へ導く。なお、２×１光スイッチ２８の制御は、例えば、ネットワーク管理装置などからの指示に基づいて行なわれてもよい。
【００７０】
ＯＣＭ２９は、入力された光信号の光パワーをモニタする。ＯＣＭ２９に入力される光信号がＷＤＭ光である場合、ＯＣＭ２９は、各波長の光信号の光パワーをモニタすることができる。なお、ＯＣＭ２９でのモニタ結果は、例えば、ネットワーク管理装置などに通知され、各光モジュール２−１，２−２，１６Ｄ−１，１６Ｄ−２の制御や、光ファイバ増幅器２３へ供給される励起光の制御などに用いられてもよい。
【００７１】
本例によれば、極めて安価に双方向モニタを実現することができ、さらに、パッケージの共通化を実現することができるので、光モジュール及び光システムなどの製造コストを大幅に低減することが可能となる。
〔６〕その他
上述した光モジュール１０，１０Ａ，１０Ｂ，１０Ｃや、双方向モニタモジュール１６，１６Ｂ，１６Ｃ，１６Ｄ−１，１６Ｄ−２の各構成及び各機能は、必要に応じて取捨選択されてもよいし、適宜組み合わせて用いられてもよい。即ち、上述した本発明の機能を発揮できるように、上記の各構成及び各機能は取捨選択されたり、適宜組み合わせて用いられたりしてもよい。
【００７２】
例えば、図８に例示した双方向モニタモジュール１６Ｂにおいて、２×１光カプラ１４−１，１４−２の代わりに、２×１光スイッチをそれぞれ用いてもよい。
また、図８に例示した双方向モニタモジュール１６Ｂにおいて、２×１光スイッチ１７及びＯＣＭ１５の代わりに、２×１光カプラ１４−１，１４−２からの出力光をそれぞれモニタする２個のＯＣＭを用いるようにしてもよい。
【００７３】
以上の実施形態及び各変形例に関し、さらに以下の付記を開示する。
〔７〕付記
（付記１）
第１ポートから入力された入力光を第２ポートへ出力するとともに、前記第１ポートから入力された入力光を第３ポートへ分岐し、且つ、前記第２ポートから入力された入力光を前記第１ポートへ出力するとともに、前記第２ポートから入力された入力光を第４ポートへ分岐する２×２光カプラと、
前記２×２光カプラの前記第３ポートから分岐出力された分岐光及び前記２×２光カプラの前記第４ポートから分岐出力された分岐光のいずれかを出力する光出力部と、
前記光出力部から出力された出力光の光パワーを監視する監視部と、をそなえた、
ことを特徴とする、双方向モニタモジュール。
【００７４】
（付記２）
前記光出力部が、一の入力ポートから入力された入力光と他の入力ポートから入力された入力光とを合波して出力する２×１光カプラである、
ことを特徴とする、付記１記載の双方向モニタモジュール。
（付記３）
前記光出力部が、一の入力ポートから入力された入力光と他の入力ポートから入力された入力光とのいずれかを選択的に出力する２×１光スイッチである、
ことを特徴とする、付記１記載の双方向モニタモジュール。
【００７５】
（付記４）
前記２×２光カプラの前記第１ポートから前記第２ポートへの分岐比が、前記２×２光カプラの前記第１ポートから前記第３ポートへの分岐比よりも大きく、且つ、前記２×２光カプラの前記第２ポートから前記第１ポートへの分岐比が、前記２×２光カプラの前記第２ポートから前記第４ポートへの分岐比よりも大きい、
ことを特徴とする、付記１〜３のいずれか１項に記載の双方向モニタモジュール。
【００７６】
（付記５）
第１ポートから入力された入力光を第２ポートへ出力するとともに、前記第１ポートから入力された入力光を第３ポートへ分岐し、且つ、前記第２ポートから入力された入力光を前記第１ポートへ出力するとともに、前記第２ポートから入力された入力光を第４ポートへ分岐する第１の２×２光カプラと、
前記第１の２×２光カプラの前記第３ポートから分岐出力された分岐光及び前記第１の２×２光カプラの前記第４ポートから分岐出力された分岐光のいずれかを出力する第１の光出力部と、
第５ポートから入力された入力光を第６ポートへ出力するとともに、前記第５ポートから入力された入力光を第７ポートへ分岐し、且つ、前記第６ポートから入力された入力光を前記第５ポートへ出力するとともに、前記第６ポートから入力された入力光を第８ポートへ分岐する第２の２×２光カプラと、
前記第２の２×２光カプラの前記第７ポートから分岐出力された分岐光及び前記第２の２×２光カプラの前記第８ポートから分岐出力された分岐光のいずれかを出力する第２の光出力部と、
前記第１の光出力部からの出力光と前記第２の光出力部からの出力光とのいずれかを選択的に出力する２×１光スイッチと、
前記２×１光スイッチから出力された出力光の光パワーを監視する監視部と、をそなえた、
ことを特徴とする、双方向モニタモジュール。
【００７７】
（付記６）
前記第１の光出力部及び前記第２の光出力部が、それぞれ、一の入力ポートから入力された入力光と他の入力ポートから入力された入力光とを合波して出力する２×１光カプラである、
ことを特徴とする、付記５記載の双方向モニタモジュール。
【００７８】
（付記７）
前記第１の光出力部及び前記第２の光出力部が、それぞれ、一の入力ポートから入力された入力光と他の入力ポートから入力された入力光とのいずれかを選択的に出力する２×１光スイッチである、
ことを特徴とする、付記５記載の双方向モニタモジュール。
【００７９】
（付記８）
前記第１の２×２光カプラの前記第１ポートから前記第２ポートへの分岐比が、前記第１の２×２光カプラの前記第１ポートから前記第３ポートへの分岐比よりも大きく、且つ、前記第１の２×２光カプラの前記第２ポートから前記第１ポートへの分岐比が、前記第１の２×２光カプラの前記第２ポートから前記第４ポートへの分岐比よりも大きく、さらに、
前記第２の２×２光カプラの前記第５ポートから前記第６ポートへの分岐比が、前記第２の２×２光カプラの前記第５ポートから前記第７ポートへの分岐比よりも大きく、且つ、前記第２の２×２光カプラの前記第６ポートから前記第５ポートへの分岐比が、前記第２の２×２光カプラの前記第６ポートから前記第８ポートへの分岐比よりも大きい、
ことを特徴とする、付記５〜７のいずれか１項に記載の双方向モニタモジュール。
【００８０】
（付記９）
前記入力光は、複数の異なる波長が多重された波長分割多重光である、
ことを特徴とする、付記１〜８のいずれか１項に記載の双方向モニタモジュール。
（付記１０）
１入力多出力の波長選択光スイッチとして構成されるとともに、多入力１出力の波長選択光スイッチとして構成される光スイッチと、
１入力多出力の光スプリッタとして構成されるとともに、多入力１出力の光カプラとして構成される光合分波器と、
前記光スイッチと前記光合分波器とのいずれかに入力される入力光及び前記光スイッチと前記光合分波器とのいずれかから出力される出力光の少なくともいずれかを監視する付記１〜９のいずれか１項に記載の双方向モニタモジュールと、をそなえた、
ことを特徴とする、光モジュール。
【００８１】
（付記１１）
付記１０記載の光モジュールを少なくとも１つそなえた、
ことを特徴とする、光分岐挿入装置。
（付記１２）
付記１１記載の光分岐挿入装置を少なくとも１つそなえた、
ことを特徴とする、光システム。
【００８２】
（付記１３）
波長多重光を双方向に伝送する光伝送路と、
前記光伝送路において、前記波長多重光を監視する付記３または付記５に記載の双方向モニタモジュールと、をそなえた、
ことを特徴とする、光システム。
【符号の説明】
【００８３】
１  光分岐挿入装置
２−１，２−２，２−３，２−４  光モジュール
３−１，３−２  光モジュール
４，４−１，４−２，４−３，４−４  光モジュール
５，５−１，５−２  光モジュール
６  光モジュール
７−１，７−２  光モジュール
８  コントローラ
１０，１０Ａ，１０Ｂ，１０Ｃ  光モジュール
１１  ＷＳＳ
１２  光合分波器
１３，１３−１，１３−２  ２×２光カプラ
１４，１４−１，１４−２  ２×１光カプラ
１５  ＯＣＭ
１６，１６Ｂ，１６Ｃ，１６Ｄ−１，１６Ｄ−２  双方向モニタモジュール
１７  ２×１ＳＷ
１８  ２×１ＳＷ
２０  光システム
２１  光サーキュレータ
２２  ２×２光カプラ
２３  光ファイバ増幅器
２４  ２×２光カプラ
２５  光サーキュレータ
２６  ２×１ＳＷ
２７  ＯＣＭ
２８  ２×１ＳＷ
２９  ＯＣＭ
４１  ＷＳＳ
４２  光カプラ
４３  ＯＣＭ
４４  ＳＰＬ
５１  ＷＳＳ
５２  光カプラ
５３  ＯＣＭ
５４  ＣＰＬ
【図１】
2013258530.tif 000003
【図２】
2013258530.tif 000004
【図３】
2013258530.tif 000005
【図４】
2013258530.tif 000006
【図５】
2013258530.tif 000007
【図６】
2013258530.tif 000008
【図７】
2013258530.tif 000009
【図８】
2013258530.tif 000010
【図９】
2013258530.tif 000011
【図１０】
2013258530.tif 000012